(57)【要約】  この発明は、スクロール型のポスター表示装置に関する。表示装置は、平行な２つのローラ（５）と、このローラに巻き付けられたポスター帯（４）と、ローラ間のポスター帯の裏面を支持するための支持装置（６）とを備えている。支持装置は、周囲の枠体（７）によって範囲が定められたエアチャンバー（１１）と、後方にずらされた背部１０と、エアチャンバー内に高空気圧を発生させる送風装置とを備える。
2008537176.tif 000002
【特許請求の範囲】
【請求項１】
平行な、少なくとも２つのローラ（５）と、
前記ローラ（５）に巻き付けられ、公衆が見ることができる表面、及び、前記表面に対して反対側の裏面を有するポスター帯（４）と、
前記ローラ（５）を駆動するための少なくとも１つのモータ（１５）と、
前記ローラ間に、前記ポスター帯（４）の前記裏面を形成するように設計された固定式の支持装置（６）と、
を備え、
前記支持装置（６）は、前記ポスター帯（４）の前記裏面に隣接する周囲の枠体（７）によって範囲が定められたエアチャンバー（１１）と、前記枠体（７）に対して後方にずらされた背部（１０）と、を備え、前記枠体（７）の内側には、前記ポスター帯（４）の前記裏面の近傍に構成要素が備えられていないことを特徴とし、
前記エアチャンバー内に高空気圧を作り出すことができる少なくとも１つの送風装置と、を更に備え、前記エアチャンバー（１１）内に吹き込まれた空気は、外部に漏れることによって、前記枠体（７）及び前記ポスター帯（４）の前記裏面間の中間面で、空気層を形成することを特徴とする
スクロール型ポスター表示装置。
【請求項２】
ポスター帯（４）は、実質的に空気を通さないことを特徴とする請求項１に記載の表示装置。
【請求項３】
ポスター帯（４）は、張力が付与された状態に保持されたことを特徴とする請求項１又は請求項２に記載の表示装置。
【請求項４】
ポスター帯（４）は、ローラ（５）によって、張力が付与された状態に保持されたことを特徴とする請求項３に記載の表示装置。
【請求項５】
ローラ（５）を制御し、ポスター帯が前記ローラ（５）によって動かされる時に、前記ポスター帯（４）の張力を部分的に解放するように設計された電子制御ユニット（１８）を備えたことを特徴とする請求項５に記載の表示装置。
【請求項６】
ローラ（５）は、実質的に鉛直であることを特徴とする請求項１から請求項５の何れかに記載の表示装置。
【請求項７】
枠体（７）は、ローラ（５）に対して実質的に垂直な２つの対向する第一辺部（８）を備え、前記第一辺部は、ポスター帯（４）自体がローラ間で前方に膨らみを有する凸形状となるために、全体として、前方に膨らみを有する凸形状を呈することを特徴とする請求項１から請求項６の何れかに記載の表示装置。
【請求項８】
枠体の２つの第一辺部（８）は、同一の形状を呈することを特徴とする請求項７に記載の表示装置。
【請求項９】
枠体の２つの第一辺部（８）は、ポスター帯（４）の裏面に隣接し、５ｃｍから１２ｃｍの幅を持つ表面部（８ａ）をそれぞれ有することを特徴とする請求項７又は請求項８に記載の表示装置。
【請求項１０】
枠体（７）は、ローラ（５）に対して実質的に平行な２つの第二辺部（９）を更に備え、前記第二辺部は、丸みを帯びた先端部（９ａ）をそれぞれ有することを特徴とする請求項７から請求項９の何れかに記載の表示装置。
【発明の詳細な説明】
【技術分野】
【０００１】
この発明は、スクロール型ポスター表示装置に関するものである。
【０００２】
より具体的には、
−  平行な、少なくとも２つのローラと、
−  上記ローラに巻き付けられ、公衆が見ることができる表面、及び、上記表面に対して反対側の裏面を有するポスター帯と、
−  上記ローラを駆動するための少なくとも１つのモータと、
−  上記ローラ間に、上記ポスター帯の上記裏面を形成するように設計された固定式の支持装置と、
を備えたスクロール型ポスター表示装置に関する。
【背景技術】
【０００３】
ＵＳ−Ａ−５  １７４  ０５５公報には、ポスター帯の裏面が堅固な支持パネルに支えられる、このタイプの表示装置が記載されている。上記支持パネルは、このポスターの表面全体に渡って広がり、具体的に、ポスターを湾曲形状にさせる。この表示装置は、具体的に以下のデメリットを有している。
−  ポスター或いはその支持帯がベアリングパネルに擦り付けられることによって、ポスター或いはその支持帯が擦り減る、及び／又は汚れる。
−  この擦れによって静電気が発生し、ポスターがベアリングパネルに張り付く原因となる。このため、ポスターの正常なスクロールが阻害され、ポスターが破れる原因にもなり得る。
【発明の開示】
【発明が解決しようとする課題】
【０００４】
この発明に特有の目的は、これらのデメリットを改善することである。
【課題を解決するための手段】
【０００５】
この目的を達成するため、この発明によれば、問題になっている形式の表示装置は、支持装置が、上記ポスター帯の上記裏面に隣接する周囲の枠体によって範囲が定められたエアチャンバーと、上記枠体に対して後方にずらされた背部と、を備え、上記枠体の内側には、上記ポスター帯の上記裏面の近傍に構成要素が備えられていないことを特徴とし、
上記エアチャンバー内に高空気圧を作り出すことができる少なくとも１つの送風装置と、を更に備え、上記エアチャンバー内に吹き込まれた空気は、外部に漏れることによって、上記枠体及び上記ポスター帯の上記裏面間の中間面で、空気層を形成することを特徴とする。
【０００６】
これらの手段のおかげで、ポスター帯は、吹き込まれた空気で満たされ、枠体の形状に対応する形状となる。その上、枠体及びポスター帯の間に空気層が作り出されるため、ポスター帯の裏面と支持装置との間の実質的な接触が、完全に回避される。前述した従来技術のデメリットは、このように回避される。
【０００７】
この発明における実施の形態では、下記に示す手段のうち、１つ及び／又は他の手段も採用され得る。
−  ポスター帯は、実質的に空気を通さない。
−  ポスター帯は、張力が付与された状態に保持される。
−  ポスター帯は、ローラによって、張力が付与された状態に保持される。
−  ローラは、実質的に鉛直である。
−  枠体は、ローラに対して実質的に垂直な２つの対向する第一辺部を備え、上記第一辺部は、ポスター帯自体がローラ間で前方に膨らみを有する凸形状となるために、全体として、前方に膨らみを有する凸形状を呈する。
−  枠体の２つの第一辺部は、同一の形状を呈する。
−  枠体の２つの第一辺部は、ポスター帯の裏面に隣接し、５ｃｍから１２ｃｍの幅を持つ表面部をそれぞれ有する。
−  枠体は、ローラに対して実質的に平行な２つの第二辺部を更に備え、上記第二辺部は、丸みを帯びた先端部をそれぞれ有する。
−  表示装置は、ローラを制御し、ポスター帯が上記ローラによって動かされる時に、上記ポスター帯の張力を部分的に解放するように設計された電子制御ユニットを備える。
【０００８】
この発明における他の特徴及び有利な点は、以下に示すこの発明の実施の形態を説明する過程で明らかになるだろう。実施の形態は、添付図面を参照して、非制限的な例としてもっぱら与えられている。
【発明を実施するための最良の形態】
【０００９】
各図において、同じ参照符号は、同一或いは類似の要素を示している。
【００１０】
図１は、例えば、柱状で、全体として円筒形状からなる表示装置１を示し、地面に対して固定された支持構造物２と、例えば、円筒の一部の形をした光学的に透明な窓部３とを備えている。
【００１１】
ポスターは、スクロールするポスター帯４に含まれており、各窓部３内に表示される。
【００１２】
ポスター帯４は、平行な２つのローラ５に巻き付けられる。ローラ５は、例えば、鉛直なローラであり、ちょうどそれらの１つが図１に示されている。
【００１３】
これらのローラはモータ駆動され、以下においてより詳細に説明されているように、電子制御ユニットによって制御されている。その結果、ポスター帯４を形成するポスターは、これらの各ポスターが窓部３内に順々に表示されるように、次々と通り過ぎるようにスクロールできる。
【００１４】
ローラ５の間には、支持構造物２に固定されたポスター支持装置６がある。支持装置６は、ポスター帯４の裏面、即ち、このポスター帯の公衆が見ることができない面を支持するように設計されている。
【００１５】
図１乃至図３に示されているように、この支持装置６は、全体として、円筒の一部の形状を呈している。上記円筒は、鉛直の軸を有し、支持装置の外側に向かって、即ち前方に膨らみを有している。
【００１６】
より具体的には、この支持装置６は枠体７を備えている。枠体７は、
−  全体として円弧形状をなし、上側及び下側にそれぞれある水平な２つの第一辺部８と、
−  一直線状で鉛直な２つの第二辺部９と、
を備えている。
【００１７】
各第一辺部８は、円筒の一部の形をした表面部８ａを有している。表面部８ａは、ポスター帯４の裏面に隣接し、鉛直方向にｈの幅を有する。この幅ｈは、例えば、５ｃｍから１２ｃｍまでの範囲にあり、具体的には、１０ｃｍ程度になり得る。
【００１８】
更に、各第二辺部９は、先端部９ａ（図３参照）を備えている。先端部９ａは、ポスター帯４の裏面に隣接し、比較的薄く、例えば、５ｍｍから１０ｍｍまでの範囲の幅を有している。この先端部９ａは、好適には、図３に示されているように、丸みを帯びた断面を有する。
【００１９】
支持装置６は、更に背部１０を備えている。背部１０は、好適には、枠体７に対して一体的に製造され、例えば、半透明のプレキシガラス（登録商標）等で製造される。背部１０は、全体として円筒の一部の形状をなし、それ自体が、例えば、５ｍｍから１０ｍｍまでの範囲の厚さを有している。背部１０は、深さＰを有するエアチャンバー１１の範囲を枠体７と共に定めるため、枠体の表面部８ａ及び先端部９ａから後方に後退した位置に配置される。深さＰは、例えば、２ｃｍから４ｃｍまでの範囲にあり、例えば３ｃｍ程度になる。
【００２０】
ポスター支持装置６の背部１０には、１つ或いは複数の開口部１２が形成されている。各開口部１２は、図４に示されているように、背部１０の裏側に設けられた送風機１３に通じている。各送風機１３は、エアチャンバー１１の内部に、例えば、２０Ｐａから３０Ｐａ程度の僅かな高圧力を作り出すため、エアチャンバー１１内に常時空気を送り込む。この高圧力により、エアチャンバー１１の反対側がポスター帯で「満たされ」、ポスター帯が、支持装置６の全体形状に対応した円筒形状にされる。
【００２１】
更に、この高圧力は、支持装置１０の周囲全体、とりわけ、ポスター帯は実施的に空気を通さない材料で作られているため、枠体７とポスター帯４の裏面との間に、僅かな空気漏れを生じさせる。この漏れにより、ポスター帯４の裏面を支持装置６から離すための空気層が恒久的に作り出される。その結果、ポスター帯の上記裏面と支持装置６との間の擦れが回避される、或いは、最低限抑制される。
【００２２】
ポスターが表示されている間、好適に半透明な上記背部１０を介してそのポスターが背面から照らされるように、図４に示されているように、例えば、蛍光灯のような照明装置１４が、背部１０の背面に同様に固定される。
【００２３】
更に、例えば、非同期モータといった電気モータ１５が、背部１０の後方に同様に内蔵されている。各電気モータ１５は、例えば、ベルト１６といった伝動装置を介して各ローラ５を駆動する。
【００２４】
これらのモータは、例えば、ＦＲ−Ａ−２  ８１２  ７５０公報において説明されているように、図５に示す２つのバリエータ（ｖａｒｉａｔｏｒ）１７（ＶＡＲ１、ＶＡＲ２）を用いて制御される。バリエータ１７は、例えば、工業用制御装置等の電子制御ユニット１８（ＡＵＴ）によって制御される。ポスター帯４が、表示するポスターを変更するために水平にスクロールされる場合には、巻かれたポスター帯を駆動するローラのモータに対して、もう一方のローラよりも僅かに高い周波数で動力を供給することにより、ポスター帯は、僅かに張力が付与される。
【００２５】
好適には、制御器１８は、
−  スクロール動作が行われている間、この張力が、相対的に非常に小さくなる（例えば、バリエータ１７間の周波数差が、１Ｈｚから２Ｈｚに対応する）ように、
−  ポスター帯が停止した時に、この張力が増加するように、
設計されている。
【００２６】
図５に示されているように、制御器１８は、送風機１３（Ｖ１、Ｖ２）も同様に制御し、センサ１９（Ｃ）にも接続されている。センサ１９は、それ自体が良く知られており、運ばれるポスターに一致させてこのポスター帯のスクロールを停止させるため、ポスター帯上の識別子を検出するように設計されている。
【図面の簡単な説明】
【００２７】
【図１】この発明の一実施の形態における表示装置を示す斜視図である。
【図２】図１に示す表示装置に含まれるポスター支持部の正面から見た斜視図である。
【図３】図２に示すポスター支持部の水平断面における部分図である。
【図４】図２に示すポスター支持部の裏側から見た斜視図である。
【図５】図１に示す表示装置のブロック図である。
【図１】
2008537176.tif 000003
【図２】
2008537176.tif 000004
【図３】
2008537176.tif 000005
【図４】
2008537176.tif 000006
【図５】
2008537176.tif 000007
【国際調査報告】
2008537176.tif 000008
2008537176.tif 000009
2008537176.tif 000010
2008537176.tif 000011